(57)【要約】【課題】ボルトのねじ付けに伴ってナットが回転することを規制しつつ、端子保持部が破損してしまうことを回避できるコネクタを提供する。【解決手段】モータ用コネクタ１は、コネクタ端子１０と、ナット２０と、固定ボルトＢと、コネクタハウジング３０とを備えている。コネクタハウジング３０は、コネクタ端子１０を保持する端子保持部３３と、端子保持部３３に配置されてナット２０を保持するナット収容部３７とを有している。ナット２０は、ナット孔２１を有し、ナット孔２１が開口する開口面２２と、この開口面２２に対して垂直な第１側面２３Ａと第２側面２３Ｂとを有している。コネクタ端子１０は、第１側面２３Ａに当接する第１回り止め壁１６と、第２側面２３Ｂに当接する第２回り止め壁１７とを有している。ナット収容部３７は、第１回り止め壁１６が当接する第１規制壁３８Ａと、第２回り止め壁１７が当接する第２規制壁３８Ｂとを有している。【選択図】図４
2017117616.tif 000002
【特許請求の範囲】
【請求項１】
端子金具と、
ナット孔を有し、前記端子金具を相手側端子に固定するためのナットと、
前記ナットにねじ付けられるボルトと、
前記端子金具を保持する端子保持部と、前記端子保持部に配置されて前記ナットを保持するナット保持部とを有するコネクタハウジングとを備え、
前記ナットが、前記ナット孔が開口する開口面と、前記開口面に対して垂直な側面とを有し、
前記端子金具が、前記側面に当接する回り止め壁を備え、
前記ナット保持部が、前記回り止め壁に当接する規制壁を有しているコネクタ。
【請求項２】
前記ナットが、互いに平行に配置される一対の前記側壁を備え、
前記端子金具が、前記一対の側壁のそれぞれに当接する一対の前記回り止め壁を備え、
前記ナット保持部が、一対の前記回り止め壁のそれぞれに当接する一対の前記規制壁を有している、請求項１に記載のコネクタ。
【発明の詳細な説明】
【技術分野】
【０００１】
本明細書によって開示される技術は、コネクタに関する。
【背景技術】
【０００２】
電気自動車やハイブリッド車に搭載されるモータ等の機器は、機器ケースに収容され、機器ケースには、他の機器との接続のためのコネクタが組み付けられている。コネクタは、機器から延びるバスバーと接続されるコネクタ端子と、バスバーをコネクタ端子に固定するためのボルトがねじ付けられるナットと、コネクタ端子とナットとを保持する端子台座部とを備えている。ナットは、端子台座部に配置されたナット収容部に収容されている（特許文献１参照）。
【先行技術文献】
【特許文献】
【０００３】
【特許文献１】特開２０１１−１８７９３３号公報
【発明の概要】
【発明が解決しようとする課題】
【０００４】
上記の構成のコネクタでは、ボルトをねじ付ける際に、ナットがボルトの回転につられて回転してしまうことがある。そこで、回転を抑制するために、ナットの側面がナット収容部の内壁に当接するようにされている。しかし、このような構成では、ナット収容部の内壁に負荷がかかり、端子台が破損してしまうことが懸念される。
【課題を解決するための手段】
【０００５】
本明細書によって開示されるコネクタは、端子金具と、ナット孔を有し、前記端子金具を相手側端子に固定するためのナットと、前記ナットにねじ付けられるボルトと、前記端子金具を保持する端子保持部と、前記端子保持部に配置されて前記ナットを保持するナット保持部とを有するコネクタハウジングとを備え、前記ナットが、前記ナット孔が開口する開口面と、前記開口面に対して垂直な側面とを有し、前記端子金具が、前記側面に当接する回り止め壁を備え、前記ナット保持部が、前記回り止め壁に当接する規制壁を有している。
【０００６】
上記の構成によれば、ボルトをナットにねじ付ける際に、ナットの回転を回り止め壁と規制壁とで規制することができる。加えて、コネクタハウジングの規制壁とナットとの間に回り止め壁が介在しているので、ナットからの押圧力によって端子保持部が破損してしまうことを回避できる。
【０００７】
上記の構成において、前記ナットが、互いに平行に配置される一対の前記側壁を備え、前記端子金具が、前記一対の側壁のそれぞれに当接する一対の前記回り止め壁を備え、前記ナット保持部が、一対の前記回り止め壁のそれぞれに当接する一対の前記規制壁を有していてもよい。
【０００８】
上記の構成によれば、回り止め壁と規制壁とが一対ずつ配置されていることによって、ナットの回転を効果的に規制することができる。
【発明の効果】
【０００９】
本明細書によって開示される技術によれば、ボルトのねじ付けに伴ってナットが回転することを規制しつつ、端子保持部が破損してしまうことを回避できる。
【図面の簡単な説明】
【００１０】
【図１】実施形態のコネクタの正面図
【図２】実施形態のコネクタの側面図
【図３】実施形態のコネクタの底面図
【図４】図１のＡ−Ａ線断面図
【発明を実施するための形態】
【００１１】
実施形態を図１〜図４を参照しつつ説明する。本実施形態のコネクタは、図４に示すように、内部にモータ（図示せず）を収容するモータケース６０に取り付けられるモータ用コネクタ１（以下、「コネクタ１」と略記することがある）である。モータケース６０の内部には、モータと接続された３つの機器端子６１が配置されている。各機器端子６１は、ボルト挿通孔６２を有している。
【００１２】
コネクタ１は、３つのコネクタ端子１０（端子金具に該当）および３つのナット２０と、これらのコネクタ端子１０およびナット２０を保持するコネクタハウジング３０（以下、「ハウジング３０」と略記することがある）と、コネクタハウジング３０を保持してモータケースに固定されるブラケット５０とを備えている。
【００１３】
［コネクタ端子１０］
３つのコネクタ端子１０のそれぞれは、図４に示すように、細長い金属製の部材であって、一端部が丸棒状の丸ピン１１となっており、他端部が接続部１３となっており、丸ピン１１と接続部１３との間の中央部分が、両者をつなぐ連結部１２となっている。
【００１４】
接続部１３は、矩形の平板状の接続部本体１４と、ボルト挿通孔１５と、２つの回り止め壁（第１回り止め壁１６、第２回り止め壁１７）とを有している。ボルト挿通孔１５は、コネクタ端子１０を機器端子６１に固定するための固定ボルトＢ（ボルトに該当）を挿通するための孔であって、接続部本体１４の一面から他面まで貫通している。
【００１５】
第１回り止め壁１６は、接続部本体１４において連結部１２とは反対側の端縁から、接続部本体１４に対して垂直に延びる板片状の部分である。第２回り止め壁１７は、接続部１３の一部を切り起こすことによって形成された板片状の部分であって、第１回り止め壁１６と向かい合って配置されている。具体的には、第２回り止め壁１７は、接続部本体１４にＵ字状のスリットを形成し、このスリットに囲まれた部分を、第１回り止め壁１６と向かい合うように切り起こすことにより形成されている。
【００１６】
［ナット２０］
ナット２０は、直方体状で、ナット孔２１を有する四角ナットである。ナット２０は、図４に示すように、互いに平行に配置される２つの正方形の開口面２２と、２つの開口面２２間を繋ぐ４つの長方形の側面とを有している。４つの側面は、開口面２２に対して垂直であり、そのうちの２つの側面（第１側面２３Ａ、第２側面２３Ｂ）は互いに平行に配置されている。
【００１７】
［コネクタハウジング３０］
コネクタハウジング３０は、合成樹脂製であって、図２に示すように、ハウジング本体３１と、脱落防止板４１とを備えている。
【００１８】
ハウジング本体３１は、図１および図４に示すように、嵌合筒部３２と、端子保持部３３と、フランジ部３９とを備えている。
【００１９】
嵌合筒部３２は、図４に示すように、長円形の底板部３２Ｂと、底板部の周縁から底板部３２Ｂに対して垂直に延びる筒状のフード部３２Ｈとを有する有底筒状の部分である。フード部３２Ｈの内部には、相手側である電線側コネクタが嵌合可能となっている。
【００２０】
端子保持部３３は、本体部３４と、端子台３６とを備えている。
【００２１】
本体部３４は、図４に示すように、底板部３２Ｂから、フード部３２Ｈと反対側に、底板部３２Ｂに対して垂直に延びる、ブロック状の部分である。本体部３４は、３つの端子挿通孔３５を有している。各端子挿通孔３５は、嵌合筒部３２の底板部３２Ｂから、本体部３４において嵌合筒部３２とは反対側の端面まで貫通する孔である。３つの端子挿通孔３５は、等間隔に並んで配置されている。
【００２２】
端子台３６は、本体部３４から延びる、厚みのある板状の部分である。
【００２３】
端子台３６は、３つのナット収容部３７（ナット保持部に該当）を有している。３つのナット収容部３７のそれぞれは、端子台３６の一面から他面まで貫通する孔部である。各ナット収容部３７の内壁は、互いに向かい合って配置される２つの規制壁（第１規制壁３８Ａ、第２規制壁３８Ｂ）を有している。２つの規制壁３８Ａ、３８Ｂ間の距離は、ナット２０の向かい合う一対の側面２３Ａ、２３Ｂ間の距離と、２つの回り止め壁１６、１７の厚さとの合計に等しくなっている。
【００２４】
複数のコネクタ端子１０は、コネクタハウジング３０の内部にインサート成形により埋設されており、図１に示すように、一列に並んで配置されている。各コネクタ端子１０は、図４に示すように、連結部１２が端子挿通孔３５の内部に収容され、丸ピン１１が底板部３２Ｂから突出してフード部３２Ｈの内部に配置され、接続部本体１４が端子台３６の一面に重なって配置されている。２つの回り止め壁１６、１７はナット収容部３７の内部に収容されており、第１回り止め壁１６が第１規制壁３８Ａに当接しており、第２回り止め壁１７が第２規制壁３８Ｂに当接している。
【００２５】
３つのナット２０のそれぞれは、図４に示すように、各ナット収容部３７の内部に収容されており、第１側面２３Ａが第１回り止め壁１６に当接し、第２側面２３Ｂが第２回り止め壁１７に当接している。
【００２６】
フランジ部３９は、図４に示すように、フード部３２Ｈの外周面から外側に向かって突出する鍔状の部分である。
【００２７】
脱落防止板４１は、ナット収容部３７からのナット２０の脱落を防止するための部材であって、３つのナット収容部３７に収容された３つのナットを揃って覆うことが可能な板状であり、端子台３６の他面（接続部本体１４が重なっている面とは反対側の面）を覆うようにハウジング本体３１に組み付けられている。
【００２８】
［ブラケット５０］
ブラケット５０は、アルミダイキャスト製であって、ハウジング保持部５１と、複数の取付部５２と、締結部５４とを備えている。ハウジング保持部５１は、図４に示すように、フード部３２Ｈの一部とフランジ部３９とを囲む筒状の部分である。複数の取付部５２は、図３に示すように、ハウジング保持部５１の外周面から外側に向かって延びる板状の部分であって、各取付部５２は、ブラケット５０をモータケースに取り付けるためのボルト（図示せず）を挿通するボルト挿通孔５３を有している。締結部５４は、図２および図３に示すように、ハウジング保持部５１の外周面から外側に向かって延びる、厚板状の部分であって、図４に示すように、コネクタハウジング３０と嵌合される電線側コネクタに装着されたシールドシェル（図示せず）との締結のためのボルト（図示せず）がねじ付けられるねじ孔５５を有している。
【００２９】
［コネクタ１のモータケース６０への組み付け］
コネクタ１がモータケース６０に組み付けられた状態では、図４に示すように、各機器端子６１が各コネクタ端子１０の接続部１３に重ねられる。この状態で、固定ボルトＢをボルト挿通孔１５、６２に挿通して、ナット２０にねじ付けることにより、機器端子６１とコネクタ端子１０とが接続される。
【００３０】
上記したように、ナット２０の第１側面２３Ａが第１回り止め壁１６に当接し、第１回り止め壁１６が第１規制壁３８Ａに当接している。また、第２側面２３Ｂが第２回り止め壁１７に当接しており、第２回り止め壁１７が第２規制壁３８Ｂに当接している。これにより、ナット２０が固定ボルトＢの回転につられて回転することを規制できる。また、ナット２０の第１側面２３と第１規制壁３８Ａとの間には、第１回り止め壁１６が存在しており、ナット２０の第２側面２３と第２規制壁３８Ｂとの間には、第２回り止め壁１７が介在しているから、ナット２０が規制壁３８Ａ、３８Ｂに直接当接している場合と比較して、端子台３６が破損されにくくなる。
【００３１】
［まとめ］
以上のように本実施形態によれば、モータ用コネクタ１は、コネクタ端子１０と、ナット２０と、ナット２０にねじ付けられる固定ボルトＢと、コネクタハウジング３０とを備えている。コネクタハウジング３０は、コネクタ端子１０を保持する端子保持部３３と、端子保持部３３に配置されてナット２０を保持するナット収容部３７とを有している。ナット２０は、コネクタ端子１０を機器端子６１に固定するための部材であって、ナット孔２１を有するとともに、ナット孔２１が開口する開口面２２と、この開口面２２に対して垂直な第１側面２３Ａと第２側面２３Ｂとを有している。コネクタ端子１０は、第１側面２３Ａに当接する第１回り止め壁１６と、第２側面２３Ｂに当接する第２回り止め壁１７とを有している。ナット収容部３７は、第１回り止め壁１６が当接する第１規制壁３８Ａと、第２回り止め壁１７が当接する第２規制壁３８Ｂとを有している。
【００３２】
上記の構成によれば、固定ボルトＢをナット２０にねじ付ける際に、ナット２０の回転を回り止め壁１６、１７と規制壁３８Ａ、３８Ｂとで規制することができる。加えて、各規制壁３８Ａ、３８Ｂとナット２０との間にそれぞれ回り止め壁１６、１７が介在しているので、ナット２０が回転しようとする力によって端子保持部３３が破損してしまうことを回避できる。
【００３３】
また、ナット２０の互いに平行な一対の側面（第１側面２３Ａと第２側面）が、回り止め壁１６、１７と規制壁３８Ａ、３８Ｂとによって規制されているから、ナット２０の回転を効果的に規制することができる。
【００３４】
＜他の実施形態＞
本明細書で開示される技術は上記記述及び図面によって説明した実施形態に限定されるものではなく、例えば次のような種々の態様も含まれる。
（１）上記実施形態では、ナット２０として四角ナットを用いたが、ナットは、回り止め壁に当接する側面を有している多角形のナットであればよく、例えば、六角ナットをであっても構わない。
【００３５】
（２）上記実施形態では、回り止め壁１６、１７と規制壁３８Ａ、３８Ｂとが一対ずつ備えられていたが、回り止め壁と規制壁とは２対以上でも良く、１つずつでも構わない。
【００３６】
（３）上記実施形態では、第１回り止め壁１６が、接続部本体１４から延びる板片状の部分であり、第２回り止め壁１７は、接続部１３の一部を切り起こすことによって形成された板片状の部分であったが、回り止め壁の構成は上記実施形態の限りではなく、例えば端子金具の一部を階段状に折り曲げることによって形成した段差部であっても構わない。
【００３７】
（４）上記実施形態では、コネクタがモータケース６０に組み付けられるモータ用コネクタ１であったが、他の用途のコネクタであっても構わない。
【符号の説明】
【００３８】
１…モータ用コネクタ（コネクタ）
１０…コネクタ端子（端子金具）
１６…第１回り止め壁（回り止め壁）
１７…第２回り止め壁（回り止め壁）
２０…ナット
２１…ナット孔
２２…開口面
２３Ａ…第１側面（側面）
２３Ｂ…第２側面（側面）
３０…コネクタハウジング
３３…端子保持部
３６…ナット収容部（ナット保持部）
３８Ａ…第１規制壁（規制壁）
３８Ｂ…第２規制壁（規制壁）
Ｂ…固定ボルト（ボルト）
【図１】
2017117616.tif 000003
【図２】
2017117616.tif 000004
【図３】
2017117616.tif 000005
【図４】
2017117616.tif 000006